(57)【要約】【課題】ヒンジ装置における固定体と回動体との間の隙間からの水の流出を防止する。【解決手段】浴室の出入り口の縦枠４０にヒンジ装置５０を介してドア板８０が回動可能に取り付けられている。ヒンジ装置５０は、縦枠４０に固定される固定体６０と、該固定体６０に対し軸心方向を上下方向とした軸体６３により回動自在に取り付けられた回動体７０とからなる。固定体６０のベース６１の水平方向の幅は、ドア板８０の厚みと略同一である。ベース６１の上下長さは、可動体７０の狭持板体７１，７２の上下幅よりも大きい。ベース６１は、縦枠４０の前面に設けられた凹溝４１に嵌合されている。ベース６１の上側及び下側に、該ベース６１と連続してスペーサ９０が配設されている。【選択図】図１
2008144374.tif 000002
【特許請求の範囲】
【請求項１】
建物に取り付けられる固定体と、該固定体に対し軸心方向を上下方向とした軸により回動自在に取り付けられた回動体とを有しており、
該回動体は、ドア板を挟持する１対の挟持板体を有するヒンジ装置において、
該固定体の該回動体の厚み方向に沿う水平方向の幅を前記ドア板の厚さと略同一としたことを特徴とするヒンジ装置。
【請求項２】
部屋の出入口の縦枠に対しヒンジ装置を介してドア板が取り付けられたドア構造であって、
該ヒンジ装置は、該縦枠に取り付けられた固定体と、該固定体に対し軸心方向を上下方向とした軸により回動自在に取り付けられた回動体とを有しているドア構造において、
該縦枠に凹溝が設けられ、該凹溝に前記固定体が嵌合されていることを特徴とするドア構造。
【請求項３】
請求項２において、前記ヒンジ装置は請求項１に記載のヒンジ装置であり、
前記凹溝及び前記固定体の上下方向長さが該回動体の上下方向長さよりも大となっていることを特徴とするドア構造。
【請求項４】
部屋の出入口の縦枠に対しヒンジ装置を介してドア板が取り付けられたドア構造であって、
該ヒンジ装置は、該縦枠に取り付けられた固定体と、該固定体に対し軸心方向を上下方向とした軸により回動自在に取り付けられた回動体とを有しているドア構造において、
該固定体の少なくとも上側において該固定体に連続して前記縦枠に縦長のスペーサが取り付けられており、
該スペーサのドア板に臨む前面が前記固定体の前面と面一状となっていることを特徴とするドア構造。
【請求項５】
請求項４において、前記縦枠に上下方向に延在した凹溝が設けられており、
前記固定体及びスペーサがそれぞれ該凹溝に嵌合していることを特徴とするドア構造。
【請求項６】
請求項５において、該凹溝と少なくともスペーサとの間に、上下方向に延在したパッキンの後縁部が狭持されており、
該パッキンの前縁部は、該スペーサよりも前方に延出して前記ドア板に当接していることを特徴とするドア構造。
【発明の詳細な説明】
【技術分野】
【０００１】
本発明は、ヒンジ装置及びドア構造に係り、特に浴室、シャワー室等の出入口に適用するのに好適なヒンジ装置及びドア構造に関する。
【背景技術】
【０００２】
従来のヒンジ装置の一例について第８図〜第１０図を参照して説明する。
【０００３】
柱１に対しドア板（この従来例ではガラス板２）がヒンジ装置１０を介して回動可能に取り付けられている。このヒンジ装置１０は、固定体２０と回動体３０とからなる。
【０００４】
固定体２０は、柱１にビス２１で留め付けられた板状ベース２２と該ベース２２の板央部分から突設されたブロック状の凸部２４と、該凸部２４からベース２２と平行方向に且つ互いに反対方向に同軸に突設された１対の軸体２６，２６とを有する。この軸体２６と同軸に摺動パッキン２８が装着されている。凸部２４は、略々直方体形であり、回動体３０側の角縁が円弧状に湾曲している。
【０００５】
回動体３０は、ガラス板２を両側から挟む狭持板体（以下、板体と略。）３２，３４と、これら板体３２，３４同士を連結するボルト３６と、板体３２，３４とガラス板２との間にそれぞれ介在されたパッキン３８，３８とを有する。板体３２，３４は側面視形状がコ字形であり、凸部２４がその内側に入り込んでいる。
【０００６】
第８図〜第１０図では図示が省略されているが、板体３２，３４の合わせ面に、軸体２６が入り込んだ溝が形成されている。また、板体３４には、ボルト３６の挿通孔が設けられ、板体３２に該ボルト３６が螺じ込まれるネジ穴が設けられている。
【０００７】
このヒンジ装置１０を用いたドアにあっては、柱１とガラス板２の側辺との間に隙間Ａがあき、板体３２，３４と柱１及びベース２２との間に隙間Ｂがあく。
【０００８】
隙間Ａについては、柱１にパッキンを貼ったり、あるいは柱１に戸当りを設ける（例えば特開平６−８１５５０号）ことにより、止水することができるが、隙間Ｂについては開放したままである。そのため、ヒンジ装置１０付近にシャワー水が掛かったりした場合には、この隙間Ｂを通って水が浴室外に流出する。特に、第８図〜第１０図の従来例では、ベース２２の左右幅が大きく、ベース２２の上端面ｆに水が当って跳ね、隙間Ｂから外部に流出し易い。
【特許文献１】特開平６−８１５５０号公報
【発明の開示】
【発明が解決しようとする課題】
【０００９】
本発明は、かかるヒンジ装置における固定体と回動体との間の隙間からの水の流出を防止することを目的とする。
【００１０】
また、本発明は、ドア板がガラス板のように重量が大きい場合であっても、ドア板をしっかりと縦枠に取り付けることができるようにすることを別の目的とする。
【課題を解決するための手段】
【００１１】
請求項１のヒンジ装置は、建物に取り付けられる固定体と、該固定体に対し軸心方向を上下方向とした軸により回動自在に取り付けられた回動体とを有しており、該回動体は、ドア板を挟持する１対の挟持板体を有するヒンジ装置において、該固定体の該回動体の厚み方向に沿う水平方向の幅を前記ドア板の厚さと略同一としたことを特徴とするものである。
【００１２】
請求項２のドア構造は、部屋の出入口の縦枠に対しヒンジ装置を介してドア板が取り付けられたドア構造であって、該ヒンジ装置は、該縦枠に取り付けられた固定体と、該固定体に対し軸心方向を上下方向とした軸により回動自在に取り付けられた回動体とを有しているドア構造において、該縦枠に凹溝が設けられ、該凹溝に前記固定体が嵌合されていることを特徴とするものである。
【００１３】
請求項３のドア構造は、請求項２において、前記ヒンジ装置は請求項１に記載のヒンジ装置であり、前記凹溝及び前記固定体の上下方向長さが該回動体の上下方向長さよりも大となっていることを特徴とするものである。
【００１４】
請求項４のドア構造は、部屋の出入口の縦枠に対しヒンジ装置を介してドア板が取り付けられたドア構造であって、該ヒンジ装置は、該縦枠に取り付けられた固定体と、該固定体に対し軸心方向を上下方向とした軸により回動自在に取り付けられた回動体とを有しているドア構造において、該固定体の上側及び下側において該固定体に連続して前記縦枠に縦長のスペーサが取り付けられており、該スペーサのドア板に臨む前面が前記固定体の前面と面一状となっていることを特徴とするものである。
【００１５】
請求項５のドア構造は、請求項４において、前記縦枠に上下方向に延在した凹溝が設けられており、前記固定体及びスペーサがそれぞれ該凹溝に嵌合していることを特徴とするものである。
【００１６】
請求項６のドア構造は、請求項５において、該凹溝と少なくともスペーサとの間に、上下方向に延在したパッキンの後縁部が狭持されており、該パッキンの前縁部は、該スペーサよりも前方に延出して前記ドア板に当接していることを特徴とするものである。
【発明の効果】
【００１７】
請求項１のヒンジ装置及び請求項３のドア構造にあっては、固定体の水平方向の幅がドア板の厚さと略同一（例えば、ドア板の厚さの９０〜１１０％程度）となっているので、固定体の上端面に水が当たりにくく、該上端面からの跳ね返り水がドア板と縦枠との間の隙間に入り込むことが防止ないし抑制（以下、防止と略。）される。この結果、この隙間を通って水が外部に流出することが防止される。
【００１８】
請求項２のドア構造においては、縦枠に設けられた凹溝にヒンジ装置の固定体が嵌合しているため、ヒンジ装置の縦枠への取り付けが堅固である。また、凹溝を正しく鉛直上下方向に設けておくことにより、ヒンジ装置の姿勢を正しく鉛直上下方向とすることができる。
【００１９】
請求項４のドア構造にあっては、ヒンジ装置の固定体の上下に連なるように縦枠にスペーサが設けられ、このスペーサの前面が固定体の前面と面一状となっているため、固定体の上端面で水が跳ねても、この跳ねた水がドア板と縦枠との間の隙間に入り込むことが防止され、水の部屋外への流出が防止される。
【００２０】
請求項５のドア構造によると、この固定体及びスペーサの縦枠への取り付けが堅固になる。また、固定体及びスペーサを正しく鉛直方向とすることもできる。
【００２１】
請求項６のドア構造によると、スペーサをパッキンによって凹溝にしっかりと嵌合保持させておくことができる。また、パッキンの前縁部がドア板に当接することにより、部屋外への水の流出がさらに十分に防止される。
【発明を実施するための最良の形態】
【００２２】
以下、図面を参照して実施の形態について説明する。
【００２３】
第１図は実施の形態に係るヒンジ装置及びドア構造の分解斜視図、第２図は第１図のドア構造の斜視図、第３図はこのドア構造の第２図とは逆方向からの斜視図、第４図及び第５図はそれぞれ第１図のIV方向及びＶ方向から側面図、第６図及び第７図はそれぞれ第４図のVI−VI線及びVII−VII線に沿う断面図である。第１〜３図では、ドア板の図示が省略されている。
【００２４】
この実施の形態では、浴室の出入り口の縦枠４０にヒンジ装置５０を介してドア板８０が回動可能に取り付けられている。このドア板８０は、ガラス板よりなる。
【００２５】
なお、以下の説明において、前方とは、縦枠４０からドア板８０を臨む方向をいい、後方とは、これと反対方向をいう。また、水平方向の幅とは、この浴室の出入り口の出入り方向における幅員をいう。
【００２６】
ヒンジ装置５０は、縦枠４０に固定される固定体６０と、該固定体６０に対し軸心方向を上下方向とした軸（後述の軸体６３）により回動自在に取り付けられた回動体７０とからなる。
【００２７】
固定体６０は、長手方向を上下方向として該縦枠４０の前面に配置される略角棒状のベース６１と、このベース６１の前面から突設されたブロック状の凸部６２と、該凸部６２の上面から上方に突設された上側の軸体６３と、凸部６２の下面から下方に突設された下側の軸体６３とを有している。上下の軸体６３，６３は同軸に配置されている。第４，５図の符号６４は、各軸体６３を取り巻く環状の摺動パッキンを示している。
【００２８】
凸部６２はベース６１の上下方向の中央付近に配置されている。この凸部６２の側面は、ベース６１の側面と面一である。凸部６２の前端側は半円柱状に湾曲している。
【００２９】
ベース６１の上端側及び下端側には、それぞれ、該ベース６１を前面から後面まで貫通するビス挿通孔６５が設けられている。この実施の形態では、ベース６１の上端側及び下端側にビス挿通孔６５が２個ずつ、上下方向に位置をずらして配置されているが、ビス挿通孔６５の個数及び配置はこれに限定されない。
【００３０】
ベース６１の上端側及び下端側の前記浴室内を臨む側面には、それぞれ、後述のパッキン１００が重ね合わされる凹段部６６が設けられている。
【００３１】
このベース６１のうち、側面に凹段部６６が形成されていない部分における水平方向の幅は、ドア板８０の厚みと略同一となっている。なお、ベース６１の水平方向の幅とは、ドア板８０の厚み方向に沿う方向の幅であり、この実施の形態では、ベース６１の後面と平行方向の水平幅である。このベース６１の水平方向の幅とドア板８０の厚みとが略同一であるとは、このベース６１の水平方向における最大幅が、ドア板８０の厚みの１００〜１１０％であることをいう。
【００３２】
この実施の形態では、凸部６２の回動体の厚み方向に沿う水平方向の幅も、このベース６１の水平方向の幅と同一となっている。
【００３３】
回動体７０は、ドア板８０を両側から挟む狭持板体７１，７２と、これらの狭持板体７１，７２同士を連結するボルト７３（第３，５，７図）と、狭持板体７１，７２とドア板８０との間にそれぞれ介在されたパッキン７４，７５（第６，７図）とを有する。狭持板体７１，７２は側面視形状がコ字形であり、凸部６２がその内側に入り込んでいる。
【００３４】
図示は省略するが、この実施の形態では、狭持板体７１，７２の合わせ面に、各軸体６３が係合する溝が形成されており、狭持板体７１，７２を合体させると、狭持板体７１，７２が各軸体６３を両側から挟み込むようにして、この溝内に各軸体６３を回動可能に保持する。ただし、狭持板体７１，７２の枢支構造はこれに限定されない。狭持板体７２には、ボルト７３の挿通孔が設けられ、狭持板体７１に該ボルト７３が螺じ込まれるネジ穴が設けられている。
【００３５】
ベース６１の上下方向長さは、各挟持板体７１，７２の上下方向長さよりも大となっている。ベース６１の上下方向長さは、各挟持板体７１，７２の上下方向長さの１．２〜３倍、特に１．５〜２．５倍程度であることが好ましい。
【００３６】
また、第４図の通り、この実施の形態では、ベース６１の上端側の凹段部６６の下縁は、狭持板体７１の上縁と略同じ高さに位置し、ベース６１の下端側の凹段部６６の上縁は、狭持板体７１の下縁と略同じ高さに位置するように構成されている。
【００３７】
各ビス挿通孔６５も、狭持板体７１，７２の上縁よりも上側の領域と、下縁より下側の領域とにそれぞれ配置されている。
【００３８】
この実施の形態では、第１図に示すように、縦枠４０は、水平断面形状が略ハット形となっており、そのドア板８０に臨む前面の幅方向中間付近には、凹溝４１が形成されている。この実施の形態では、該凹溝４１は、該縦枠４０の上端から下端まで連続して延設されている。この凹溝４１の水平方向幅は、前述のベース６１の水平方向の幅と同等か若干大きなものとなっている。
【００３９】
ヒンジ装置５０を縦枠４０に取り付ける場合、ベース６１の後部側をこの凹溝４１内に嵌合させる。そして、このベース６１を所定高さに配置し、各ビス挿通孔６５を通したビス６７により該ベース６１を縦枠４０に固定する。なお、第１図では、ベース６１の上端側のビス挿通孔６５に挿通されるビス６７のみ図示され、残りのビス６７の図示は省略されている。
【００４０】
凹溝４１の深さはベース６１の前後方向の厚みよりも小さくなっており、この凹溝４１に嵌合したベース６１は、前面が縦枠４０の前面から若干張り出している。
【００４１】
この実施の形態では、ベース６１よりも上側及び下側の凹溝４１に、それぞれ、該ベース６１と連続するように縦長棒状のスペーサ９０が設置されている。
【００４２】
該スペーサ９０は、この実施の形態では、水平断面形状が略コ字形となっており、このコ字の開放部側を後方に向けて該凹溝４１に嵌合される。このスペーサ９０の水平方向の幅は、ベース６１のうち側面に凹段部６６が形成された部分における水平方向の幅と同等となっている。また、このスペーサ９０の前後方向の厚みは、ベース６１の前後方向の厚みと同等となっている。これらのベース６１とスペーサ９０とは、前面が互いに面一状に連なるように凹溝４１に装着されている。したがって、スペーサを伝って落ちてきた水が固定体の上面にたまったり、床面へ向う水の経路をさえぎることがなくスムーズに床面へ向って流れるため水の部屋外への流出が防止される。
なお、この実施形態では固定体は複数取り付けられ、固定体と天井の間ではスペーサ９０は天井が固定体上面まで、固定体同士の間ではスペーサ９０は上の固定体下面から下の固定体の上面まで取り付けられている。
【００４３】
この実施の形態では、各スペーサ９０の前記浴室内を臨む側面に沿って上下方向に延在するパッキン１００が設けられている。このパッキン１００は、後縁部が該スペーサ９０と凹溝４１との間に挟み込まれるようにして設置されている。
【００４４】
なお、このパッキン１００の後縁部の、厚み方向に圧縮力を受けていない状態における厚みは、該スペーサ９０と凹溝４１との間に生じる間隙の幅よりも大となっている。即ち、このパッキン９０の後端側は、厚み方向に圧縮された状態でスペーサ９０と凹溝４１との間に介在している。各スペーサ９０は、このパッキン１００により凹溝４１の壁面に押し付けられるようにして該凹溝４１内に固定されており、このスペーサ９０を縦枠４０に固定するためのビス留め等は行われていない。ただし、このスペーサ９０も、ビス留め等により縦枠４０に固定されてもよい。
【００４５】
ベース６１の上側のスペーサ９０に沿って配設されたパッキン１００の下端は、ベース６１の上端側の凹段部６６と凹溝４１との間に挟み込まれている。また、ベース６１の下側のスペーサ９０に沿って配設されたパッキン１００の上端は、ベース６１の下端側の凹段部６６と凹溝４１との間に挟み込まれている。
【００４６】
上側のパッキン１００の下縁は、狭持板体７１，７２の上縁に接しているか、又はその近傍に位置している。また、下側のパッキン１００の上縁は、狭持板体７１，７２の下縁に接しているか、又はその近傍に位置している。
【００４７】
各パッキン１００の前縁側は、スペーサ９０の前面よりも前方に延出し、その先端側がドア板８０側に湾曲して該ドア板８０に当接している。
【００４８】
ベース６１、スペーサ９０及びパッキン１００を上記の如くして縦枠４０に固定した後、挟持板体７１，７２をドア板８０の両面に当てがい、且つこれらの間に各軸体６３を挟み込むようにして、ボルト７３を締め込む。これにより、挟持板体７１，７２がドア板８０の基端側を挟み付け、ドア板８０がヒンジ装置５０に固定される。
【００４９】
このヒンジ装置５０を用いたドア構造にあっては、縦枠４０に取り付けられるベース６１及び凸部６２の水平方向の幅がドア板８０の厚さと略同一となっている。従って、ベース６１及び凸部６２の上端面に水が当たりにくく、該上端面からの跳ね返り水がドア板８０と縦枠４０との間の隙間に入り込むことが防止される。この結果、この隙間を通って水が浴室の外部に流出することが防止される。
【００５０】
この実施の形態では、縦枠４０に設けられた凹溝４１にヒンジ装置５０のベース６１が嵌合しているため、ヒンジ装置５０の縦枠４０への取り付けが堅固である。また、凹溝４１を正しく鉛直上下方向に設けておくことにより、ヒンジ装置５０の姿勢を正しく鉛直上下方向とすることができる。
【００５１】
また、この実施の形態では、ヒンジ装置５０のベース６１の上下に連なるように縦枠４０にスペーサ９０を設け、このスペーサ９０の側面に沿ってパッキン１００を設け、該パッキン１００の前縁をドア板８０の縁部に重ね合わせているので、水の浴室外への流出が防止される。
【００５２】
この実施の形態では、スペーサ９０と凹溝４１との間にパッキン１００を圧縮状態で介在させ、このパッキン１００の弾性的な復元力によりによりスペーサ９０を凹溝４１内に嵌合保持させるよう構成しているため、スペーサ９０の縦枠４０へのビス留め作業等が不要であり施工が容易である。
【００５３】
上記の実施の形態は本発明の一例を示すものであり、本発明は上記の実施の形態に限定されない。
【００５４】
例えば、上記実施の形態ではパッキン１００をヒンジ装置５０の上側と下側とに分けて配設しているが、該ヒンジ装置５０の上側から下側まで連続してパッキン１００を配設してもよい。また、このパッキン１００は省略されてもよい。
【００５５】
上記の実施の形態は、浴室の出入り口のドア構造への本発明の適用例を示しているが、例えばシャワー室や洗面所など、他の部屋のドア構造にも適用可能である。
【図面の簡単な説明】
【００５６】
【図１】実施の形態に係るヒンジ装置及びドア構造の分解斜視図である。
【図２】図１のドア構造の斜視図である。
【図３】図２とは逆方向からの斜視図である。
【図４】図１のIV方向からの側面図である。
【図５】図１のＶ方向からの側面図である。
【図６】図４のVI−VI線に沿う断面図である。
【図７】図４のVII−VII線に沿う断面図である。
【図８】従来のヒンジ装置を用いたガラス扉の斜視図である。
【図９】図８の正面図である。
【図１０】図９のＸ−Ｘ線断面図である。
【符号の説明】
【００５７】
５０  ヒンジ装置
６０  固定体
６１  ベース
６１  凸部
６３  軸体
７０  回動体
７１，７２  狭持板体
８０  ドア板
９０  スペーサ
１００  パッキン
【図１】
2008144374.tif 000003
【図２】
2008144374.tif 000004
【図３】
2008144374.tif 000005
【図４】
2008144374.tif 000006
【図５】
2008144374.tif 000007
【図６】
2008144374.tif 000008
【図７】
2008144374.tif 000009
【図８】
2008144374.tif 000010
【図９】
2008144374.tif 000011
【図１０】
2008144374.tif 000012